(57)【特許請求の範囲】
【請求項１】
中心から一定半径以内の中央部分の板厚が、前記半径の外側部分の板厚よりも大きくなるように形成され、表裏両面に板厚の段差が形成されたことを特徴とするカード型情報記録担体。
【請求項２】
略矩形の平面形状を有し、中心から各角部までの寸法が４cmを超え６cm以下で、前記半径が４cmである、請求項１に記載のカード型情報記録担体。
【発明の詳細な説明】
【０００１】
【発明の属する技術分野】
本発明は、携帯型のカードに光学的手段を用いて大量のデジタル情報を記録したカード型情報記録担体に関する。
【０００２】
【従来の技術】
キャッシュカードやクレジットカード大の樹脂製カードに、光学的手段を用いて、大量のデジタル信号情報、例えば各種の個人情報や取引情報、案内情報、或いは映像、音楽、ゲームプログラムなどを記録して携帯できるようにしたものとして、図３に示すようなカード型情報記録担体１が知られている。
【０００３】
このカード型情報記録担体１は、基板２の片面（図中の裏面）を印刷面３としてここに文字や図形を印刷し、その反対面の中央に円形の記録部４を設けたものである。この記録部４に、ＣＤ（コンパクト・ディスク、ただしＣＤ−ＲＯＭやＣＤ−Ｒも含む）やＤＶＤ（デジタル・ビデオ・ディスク）と同様の記録方式によってデジタル情報が書き込まれる。書き込まれた情報の再生は、ＣＤ用又はＤＶＤ用の読み出し装置によって行なわれる。書き込み装置や読み出し装置にこのカード型情報記録担体１をセットして高速回転させるため、カード型情報記録担体１の中央には、書き込み装置や読み出し装置のドライブ軸に嵌装される孔部５が設けられている。
【０００４】
ところで、現在、一般に使用されているＣＤやＤＶＤは、そのサイズが直径１２ｃｍに規格化されているが、音楽用ＣＤ等においては直径８ｃｍのいわゆるシングルサイズも利用されている。そのため、ＣＤの読み出し装置は、直径１２ｃｍと直径８ｃｍの両方のディスクサイズに対応できるようになっている。
【０００５】
図４は、パーソナル・コンピュータ等に組み込まれるＣＤの読み出し装置のトレイＴを示す。このトレイＴは、パーソナル・コンピュータ等の本体（図示せず）から出没するように保持され、このトレイＴにディスクが水平に載置されて本体内に収容されると、ディスクの中心に設けられた孔部が自動的に本体内のドライブ軸に嵌装又は吸着される。トレイＴの上面には、直径１２cmのディスクを載置するための浅い円形凹陥部ｔ１と、その内側に、直径８cmのディスクを載置するための一段深い円形凹陥部ｔ２が形成されている。また、読み取りヘッドをディスクの半径方向に沿って移動させるため、トレイＴの中心部付近から本体側にかけて平面視略Ｕ字形の切欠部ｔ３が形成されている。この切欠部ｔ３の幅は、通常、４cm〜５cmである。
【０００６】
一方、一般のカード類のサイズは、縦約５５mm×横約８５mmにほぼ統一されている。そのため、このサイズに合わせて形成したカード型情報記録担体１を前記のようなトレイＴに載置すると、図４中に示したように、カード型情報記録担体１が切欠部ｔ３及び内側の深い円形凹陥部ｔ２を跨いで浅い円形凹陥部ｔ１上に置かれることとなる。しかし、この載置状態は安定が悪く、カード型情報記録担体１を載置する向きによっては、トレイＴが本体内に収容されるときに位置がずれてドライブ軸にきちんとセットされなかったり、切欠部ｔ３からずり落ちて本体内で斜めに引っ掛かったりするなどのトラブルが生じる。
【０００７】
そこで、従来より、図５及び図６に示すようなカード型情報記録担体１ａ，１ｂが提供されている。図示したカード型情報記録担体１ａ，１ｂは、いずれも直径１２cmのＣＤを一般のカード大に打ち抜いて形成したもので、図５に示すカード型情報記録担体１ａでは中心から四隅方向に向かって約４cmの位置に突起６ａが形成され、図６に示すカード型情報記録担体１ｂでは、中心から半径約４cmの位置に円弧状の突条６ｂが形成され、これら突起６ａ及び突条６ｂが記録部４側の面に突出している。これらの突起６ａ及び突条６ｂの位置は直径８cmのディスクの外縁に一致するもので、これらの突起６ａ又は突条６ｂを下にしてトレイＴの内側の深い円形凹陥部ｔ２の周縁に沿わせて載置することにより、カード型情報記録担体１をトレイＴの中央に正しくセットすることができる。
【０００８】
【発明が解決しようとする課題】
しかしながら、これらの突起６ａ及び突条６ｂは、カード型情報記録担体１ａ，１ｂの印刷面３側から先端の尖った加工具等で基板２を叩き出して形成していたので、基板２から脱落したり欠けたりするおそれがあった。また、これらの突起６ａや突条６ｂを下にしてカード型情報記録担体１ａ，１ｂを押さえつけたりしたような場合に、突起６ａや突条６ｂの位置で基板２が割れてしまうおそれもあった。
【０００９】
また、突起６ａを設けたものにあっては、トレイＴに載置する際すべての突起６ａを円形凹陥部ｔ２の周縁に沿わせず、例えば４本のうちの１本の突起６ａをトレイＴの切欠部ｔ３に位置させてしまった場合、前記した従来のものと同様、トレイＴが本体内に収容されるときに位置がずれてきちんとセットされず、このため４本の突起６ａのすべてが円形凹陥部ｔ２の周縁に沿うようにセットの際常に注意を払う必要があるといった煩わしさがあった。
【００１０】
本発明はかかる事情に鑑みてなされたもので、読み出し装置のトレイＴの中央に容易に載置できる形状を確保しつつ、その形状が損傷や変形を生じにくいように形成したカード型情報記録担体と、その製造方法を提供することを目的としている。
【００１１】
【課題を解決するための手段】
本発明のカード型情報記録担体は、中心から一定半径以内の中央部分の板厚が、前記半径の外側部分の板厚よりも大きくなるように形成されたことを特徴とする。この半径を他の一般的なディスク形記録担体のサイズに合わせることにより、かかる記録担体に対応する書き込み／読み出し装置へのセットが容易になるとともに、中央部分が一様に厚くなって損傷や変形を生じにくくなる。
【００１３】
また、前記カード型情報記録担体の表裏両面に板厚の段差を形成するようにしたので、両面に記録部を形成して記録できる情報量を増やすことができる。
【００１４】
前記カード型情報記録担体は、略矩形の平面形状を有し、中心から各角部までの寸法が４ｃｍを超え６ｃｍ以下で、前記半径が４ｃｍであるのが好ましい。これによれば、一般のカード類と同様に携帯して取り扱うことができるとともに、直径１２ｃｍと直径８ｃｍのディスクサイズに対応したＣＤの書き込み／読み出し装置にて再生することができる。
【００１５】
上記のカード型情報記録担体は、樹脂の一体成型によって形成する。これによれば、カード型情報記録担体の基板を構成する樹脂が均質に一体化し、全体の強度が得られるので、損傷や変形の生じにくいカード型情報記録担体を製造することができる。
【００１６】
【発明の実施の形態】
以下、本発明の実施の形態について、図面を参照しつつ説明する。
【００１７】
図１は本発明のカード型情報記録担体１０の全体形状を示し、図２は同じく縦断面を示している。
【００１８】
このカード型情報記録担体１０は、一般のカード類に近似する大きさ、具体的には短辺約５６ｍｍ×長辺約８５ｍｍの矩形に形成された樹脂製の基板２０を有している。基板２０の角部は角丸に面取り加工され、したがって中心から基板２０の各角部までの寸法は約５０ｍｍとなっている。
【００１９】
基板２０の中央には、直径約１５ｍｍの孔部５０が表裏を貫通して形成されている。
【００２１】
基板２０は、中心から半径４cm以内の中央部分２１の板厚がその外側部分２２の板厚よりも若干大きく、そのため各面の表面には円弧状の段差２３が形成されている。
【００２２】
この面の中央には、中央の孔部５０と同心円状に、デジタル情報を書き込むための記録部４０が形成されている。記録部４０の大きさは、直径が基板２０の短辺寸法よりも小さい円形の範囲内である。この記録部４０には、ＣＤと同様の記録方式によってデジタル信号情報が書き込まれる。ただし、情報の記録方式は、これに限らず、ＤＶＤ、ＭＯ（マグネット・オプティカル・ディスク）、ＭＤ（ミニ・ディスク）など、他の光学的記録方式であってもよい。記録される情報の内容についても、各種の個人情報（例えば医療・健康情報、会員情報、信用情報など）、商取引情報、娯楽情報、広告宣伝情報、各種案内情報、ゲームプログラムなど、その用途に応じて任意に選択でき、情報の種類も、文字データ、画像データ、音楽データなどを自由に組み合わせることができる。
【００２３】
書き込まれた情報を再生するには、例えば前記図４に示したようなＣＤ用の読み出し装置を用いる。このカード型情報記録担体１０を、いずれか一方の記録部４０側の面を下にして読み出し装置のトレイＴに載置すると、厚い中央部分２１がトレイＴの内側に形成された深い円形凹陥部ｔ２に自然に嵌まり込み、薄い外側部分２２がトレイＴの外側に形成された浅い円形凹陥部ｔ１上に載置されるので、トレイＴの中心にカード型情報記録担体１０が正しくセットされる。中央部分２１の板厚は一様なので、トレイＴ上にセットする際のカード型情報記録担体１０の向きも特に限定されない。カード型情報記録担体１０の回転時には円弧状の段差２３が深い円形凹陥部ｔ２の周縁に沿うので、回転時の姿勢も安定する。情報を書き込むための書き込み装置にこのカード型情報記録担体１０をセットする場合も同様である。
【００２４】
このカード型情報記録担体１０は、樹脂の一体成型によって製造される。基板２０の樹脂素材は、容易に折れ曲がらない程度の硬度と寸法安定性を備え、必要な光学的特性を有するものであれば特に限定されないが、特に、ポリ・カーボネイトやＰＭＭＡ（ポリメタクリル酸メチル）等が好適である。かかる樹脂を基板２０の材料とし、記録部４０を構成するための記録層、反射層、保護層等を積層して一体成型することにより、基板２０全体が均質に一体化して、損傷や変形の生じにくいカード型情報記録担体１０を得ることができる。
【００２６】
なお、前記した実施の形態は、現在広く普及している直径１２ｃｍ及び直径８ｃｍのＣＤと、その書き込み／読み出し装置の規格や形態に合わせて形成したものである。また、カード型情報記録担体１０の縦横サイズも、一般のカード類のサイズに近似させている。しかし、カード型情報記録担体１０の外形については必ずしも前記のとおりである必要はなく、用途に応じて、多角形を含む他の形状とすることもできる。また、対応させるべき記録方式や他の記録担体の規格等が変われば、このカード型情報記録担体１０の外形、中央部分２１と外側部分２２の板厚、段差２３の半径等も変わることとなる。記録方式によっては、基板２０の両面に記録部４０を形成し、円弧状の段差２３も両面に形成して、記録できる情報量を増やすことも可能である。また、カード型情報記録担体１０を書き込み／読み出し装置のドライブ軸に保持させるにあたり、ドライブ軸側の保持形態に合わせて中央の孔部５０の大きさやその周縁の形状、板厚等を適宜変更してもよい。
【００２７】
【発明の効果】
本発明のカード型情報記録担体によれば、中心から一定半径以内の中央部分の板厚を、その外側部分の板厚より大きくなるように形成し、段差の半径を他の一般的なディスク形記録担体のサイズに合わせることによって、かかる記録担体に対応する書き込み／読み出し装置へのセットが容易になるとともに、その形状に損傷や変形を生じにくくなる。
【００２８】
また、表裏両面に板厚の段差を形成しているので、両面に記録部を形成して記録できる情報量を増やすことができる。
【図面の簡単な説明】
【図１】本発明のカード型情報記録担体の実施の形態を示す斜視図である。
【図２】前記カード型情報記録担体の長辺方向の縦断面図である。
【図３】従来のカード型情報記録担体の一例を示す斜視図である。
【図４】一般的なＣＤの読み出し装置のトレイと、このトレイ上に載置されたカード型情報記録担体の状態を示す斜視図である。
【図５】従来のカード型情報記録担体の他の例を示す斜視図である。
【図６】従来のカード型情報記録担体のさらに他の例を示す斜視図である。
【符号の説明】
１０ カード型情報記録担体
２１ 中央部分
２２ 外側部分
【図１】
0003564015.tif 000002
【図２】
0003564015.tif 000003
【図３】
0003564015.tif 000004
【図４】
0003564015.tif 000005
【図５】
0003564015.tif 000006
【図６】
0003564015.tif 000007